(57)【特許請求の範囲】
【請求項１】
ボディと、前記ボディの腹部から突出された錘と、を有し、
前記錘の下方側には、線材部が前記ボディの前後方向に延設されており、
前記線材部の一端部が前記錘の下方側前方部に固着され且つ前記線材部の他端部が前記錘の下方側後方部に固着されていると共に、前記線材部の両端部以外の部分と前記錘の表面との間に隙間を有しているルアー。
【請求項２】
前記線材部が、金属線材から形成されている、請求項１に記載のルアー。
【請求項３】
前記ボディの一端部には、ラインを連結するためのライン連結部が設けられ、
前記線材部が前記ライン連結部に前記ボディの内部を通して結合されている、請求項１に記載のルアー。
【請求項４】
前記線材部の側面視形状が下方に湾曲する弧状に形成されている、請求項１〜３の何れかに記載のルアー。
【発明の詳細な説明】
【技術分野】
【０００１】
本発明は、着底したときの衝撃音が小さいルアーに関する。
【背景技術】
【０００２】
従来、様々な形態及び機能を有するルアーが知られている。例えば、烏賊釣り用のルアーとして、ボディと、ボディの腹部から突出して設けられた錘と、ラインを連結するためのライン連結部と、ボディの後方部に設けられた針と、を有するルアーが知られている（特許文献１）。
前記ルアーのライン連結部に竿に繋がるラインを結んだ後、ルアーが海中に投入される。投入されたルアーは、錘を下にして沈降し、着底する。なお、「着底」とは、ルアーが海底に到達することをいう。【０００３】
しかしながら、上記のように錘が突出しているルアーは、着底時に錘が海底に当たることによって、比較的大きな衝撃音（衝突音も同義）を生じる。特に、錘が、海底の岩、石、又は金属破片に当たったときには、ルアーの着底時に、より大きな衝撃音を生じる。
このように大きな衝撃音が生じると、烏賊や魚が逃げてしまう。このため、着底したときの衝撃音が小さいルアーが求められている。【０００４】
さらに、釣り人は、ルアーを連結したラインを通じて、ルアーが着底したかどうかを感知し得る。釣り人が、このルアーの着底の有無が判らなければ、所望の深さでルアーを遊泳させることができない。また、釣り人がルアーの着底に気付かないと、潮流によってルアーが流されてしまい、ルアーが岩などに引っ掛かることもある。
従って、着底の有無を釣り人に感知させ易いルアーが求められている。
【先行技術文献】
【特許文献】
【０００５】
【特許文献１】日本国特許出願公開第２００９−５６２８号公報
【発明の概要】
【発明が解決しようとする課題】
【０００６】
本発明の目的は、着底時の衝撃音が比較的小さく、且つ、着底の有無をラインを通じて釣り人に感知させ易いルアーを提供することである。
【課題を解決するための手段】
【０００７】
本発明のルアーは、ボディと、前記ボディの腹部から突出された錘と、を有し、前記錘の下方側には、線材部が前記ボディの前後方向に延設されており、前記線材部の一端部が前記錘の下方側前方部に固着され且つ前記線材部の他端部が前記錘の下方側後方部に固着されていると共に、前記線材部の両端部以外の部分と前記錘の表面との間に隙間を有している。
【０００８】
本発明のルアーは、錘の下方側に隙間を有した状態で線材部が設けられているので、ルアーの着底時、海底に当たった線材部が撓むことによって着底時の衝撃が吸収される。このため、本発明のルアーは、着底時の衝撃音が比較的小さくなる。
さらに、前記撓んだ線材部が元の形状に復元するときの振動が、ルアーからラインを通じて釣り人に伝わる。従って、釣り人は、着底したかどうかを容易に感知できる。【０００９】
本発明の好ましいルアーは、前記線材部が金属線材から形成されている。
本発明の他の好ましいルアーは、前記ボディの一端部には、ラインを連結するためのライン連結部が設けられ、前記線材部が前記ライン連結部に前記ボディの内部を通して結合されている。
本発明の他の好ましいルアーは、前記線材部の側面視形状が下方に湾曲する弧状に形成されている。
【発明の効果】
【００１０】
本発明のルアーにおいては、着底時の衝撃音が比較的小さい。従って、本発明のルアーを使用すれば、着底場所の周辺に居る烏賊や魚を衝撃音で驚かすことがないので、より多くの釣果を期待できる。
さらに、本発明のルアーをラインに連結して使用したとき、着底したかどうかが釣り人に伝わり易い。従って、本発明のルアーを使用すれば、釣り人が所望の深さでルアーを遊泳させることができるので、より多くの釣果を期待できる。
【図面の簡単な説明】
【００１１】
【図１】本発明の１つの実施形態に係るルアーの側面図。
【図２】同ルアーの正面図。
【図３】同ルアーの底面図。
【図４】図２のＩＶ−ＩＶ線で切断した断面図。
【図５】同ルアーの着底時を示す参考側面図。
【図６】本発明の他の実施形態に係るルアーの側面図。
【図７】更なる他の実施形態に係るルアーの側面図。
【図８】更なる他の実施形態に係るルアーの側面図。
【図９】更なる他の実施形態に係るルアーの側面図。
【図１０】更なる他の実施形態に係るルアーの側面図。
【発明を実施するための形態】
【００１２】
［１つの実施形態に係るルアー］
図１〜図４において、ルアー１１は、ボディ２１と、ボディ２１の腹部２１ａから突出された錘３１と、を有する。図示したルアー１１は、主として烏賊釣りに使用され、烏賊をおびき寄せるために好適な構造（例えば、羽根や目など）を有する。もっとも、本発明は、烏賊を釣るためのルアーだけでなく、様々な魚を釣るためのルアーに適用できる。
【００１３】
ボディ２１の一端部には、ライン（釣り糸）を連結するための環状のライン連結部４１が突出されている。
ボディ２１の他端部には、傘式の釣り針５１が固着されている。なお、このような固定式の釣り針５１に代えて、ボディの他端部に環状の連結部を設け、且つこの環状の連結部にフック状の釣り針（例えばトレブルフックなど）を連結してもよい（図示せず）。
【００１４】
上記錘３１の下方側には、線材部７１が設けられている。この線材部７１は、ルアー１１の着底時の衝撃音を小さくする効果を有する。
線材部７１は、錘３１の表面と線材部７１の間に隙間９１を有するように、錘３１の表面から離れて設けられている。線材部７１は、好ましくは金属製の線材（金属線材）からなる。
【００１５】
（ボディについて）
ボディ２１の外形は、エビを真似た形状に形成されている。従って、ボディ２１は、その前端部２１ｂから後端部２１ｃにかけて細長い形状に形成されている。また、ボディ２１は、細長い小魚を真似た形状などに形成されていてもよい（図示せず）。なお、ボディ２１の外面には、所望の装飾が施される。例えば、ボディ２１の外面には、エビを真似た絵柄が描かれたり、或いは、所望の薄い織布又は網目織布が貼り付けられる。
ボディ２１の前端部２１ｂとは、ラインを連結し且つルアーを引張ったときの、ルアーの進行方向の先端部を意味する。ボディ２１の後端部２１ｃとは、前記前端部とは反対の部分（ルアーの進行方向と反対の部分）を意味する。ボディ２１の腹部２１ａとは、ルアーを側面から見た状態で（図１参照）、前記前端部と後端部の間における下方部分を意味する。
【００１６】
ボディ２１は、それ自体、水（淡水及び海水を含む）に浮く部材である。このようにボディ２１自体は水に浮くが、このボディ２１に錘３１が設けられたルアー１１は、錘３１を下にして水に沈む。
ボディ２１の比重は、１未満であれば特に限定されないが、好ましくは０．９以下であり、より好ましくは０．８以下であり、特に好ましくは０．６以下である。
【００１７】
前記ボディ２１の材質は、特に限定されず、例えば、ＡＢＳ樹脂などの硬質合成樹脂、ウレタンなどの軟質合成樹脂、発泡ウレタンなどの発泡合成樹脂、木、及び２以上の素材を組み合わせた複合材料などが挙げられる。
ボディ２１は、中空状であってもよいし、中実状であってもよい。なお、中実状のボディとは、その内部に空洞部を有しないボディである。
【００１８】
１つの実施形態のボディ２１は、図４に示すように、その内部に空洞部２１ｄを有する（つまり、中空状である）。内部に空洞部２１ｄを形成することにより、比重が１を超えるボディ材料（例えば、ＡＢＳ樹脂など）を用いた場合でも、比重０．９以下のボディ２１を容易に作製できる。中空状のボディ２１は、例えば、硬質合成樹脂で形成される。
【００１９】
前記ボディ２１は、通常、複数の成形体を接合することによって形成される。例えば、ボディ２１は、左右対称一対の半割成形体を接合することによって形成されている。このような一対の半割成形体を接合して得られるボディ２１は、その内部に空洞部を容易に形成できるので好ましい。
前記ボディ２１の腹部２１ａには、錘３１の一部分が嵌め入れられる取付孔部２１ｅが形成されている。
また、ボディ２１の前端部２１ｂ（ボディ２１の一端部）には、ライン連結部４１から延設された取付部が埋め込まれている。従って、環状のライン連結部４１が、ボディ２１の前端部２１ｂから外側に突出している。
【００２０】
（錘について）
錘３１は、上記ボディ２１の腹部２１ａ側に設けられている。錘３１は、ボディ２１の外部に露出している。錘３１の上端部には、取付部６１が一体的に形成されている。前記取付部６１を前記ボディ２１の取付孔部２１ｅに嵌め入れ且つ接着剤で接着することによって、前記錘３１がボディ２１に固着されている。従って、錘３１は、ボディ２１の腹部２１ａから突出している。
なお、（ボディ２１に前記取付孔部２１ｅに形成せず）ボディ２１の腹部２１ａの外面に、接着剤を用いて、錘３１を直接接着するように変更してもよい。
上記錘３１の形状は、特に限定されず、従来公知の形状を採用できる。本実施形態のルアー１１は、主として烏賊釣り用であるため、錘３１は、平板状に形成されている。また、錘３１の側面視形状（側面から見た形状）は、略紡錘形であり、錘３１の下方側（下辺）の側面視形状は、弧状である。もっとも、錘３１の形状は、これに限定されず、適宜な形状に変更できる。
【００２１】
錘３１は、比重の大きい材料から形成されている。錘３１の比重は、特に限定されないが、好ましくは６以上、より好ましくは７以上である。錘３１の材質としては、特に限定されないが、一般的には、金属が挙げられる。金属としては、鉄、ステンレス、鉛、錫、銅、タングステン、真鍮のような合金などが挙げられる。上記取付部６１が形成されている錘３１については、通常、取付部６１と錘３１は、同一材料で一体的に形成される。
【００２２】
（線材部について）
線材部７１は、錘３１の下方側に設けられている。前記線材部７１は、錘３１の表面との間に隙間９１を有した状態で、錘３１の下方側に設けられている。線材部７１は、ボディ２１の前後方向に延びるように設けられている。この線材部７１は、着底時の衝撃を吸収する作用を有し、さらに、着底の有無を釣り人に伝える作用を有する部材である。
前記線材部７１は、自己復元性を有していれば、その材質は特に限定されない。好ましくは、線材部７１は金属から形成され、より好ましくは、線材部７１は金属線材から形成される。金属としては、例えば、鉄、ステンレス、銅、及び真鍮のような合金などが挙げられる。線材部７１と錘３１は、同じ材質でもよいし、異なっていてもよい。
前記線材部７１の太さは、特に限定されない。もっとも、余りに線材部７１の径が太いと、着底時に線材部７１が変形せず、線材部７１によって衝撃を吸収できない。一方、余りに線材部７１が細いと、着底時に線材部７１が変形してしまう（かかる線材部７１は、復元性が非常に低いといえる）。このような点を考慮すると、線材部７１が金属線材の場合には、その直径は０．５ｍｍ〜２ｍｍが好ましく、さらに、直径０．８ｍｍ〜１．２ｍｍがより好ましい。
【００２３】
前記線材部７１の一端部７１ａ（前端部）が、錘３１の下方側前方部に固着され、且つ線材部７１の他端部７１ｂ（後端部）が、錘３１の下方側後方部に固着されている。具体的には、図４に示すように、線材部７１の一端部７１ａ及び他端部７１ｂを錘３１の内部にそれぞれ埋め込むことによって、線材部７１が錘３１の下方側に固定されている。前記線材部７１の両端部７１ａ，７１ｂ（一端部７１ａ及び他端部７１ｂ）以外の部分７１ｃは、錘３１の表面との間に隙間９１を有した状態で、ボディ２１の前後方向に延設されている。本実施形態においては、前記線材部７１の両端部以外の部分７１ｃは、錘３１の下辺の形状と略一致した弧状とされている。つまり、前記線材部７１の両端部以外の部分７１ｃは、錘３１の下辺に対して略平行である。
【００２４】
前記隙間９１の大きさは、特に限定されず、適宜な寸法に設定できる。もっとも、前記隙間９１が余りに小さいと、隙間９１を設けた意義が実質的に無くなる。このような理由から、前記隙間９１は、０．６ｍｍ以上であることが好ましく、１ｍｍ以上がより好ましい。前記隙間９１が大きくても本発明の効果に悪影響を及ぼさないが、デザインや使用感を考慮すると、前記隙間９１は、７ｍｍ以下が好ましい。但し、前記隙間９１の寸法は、前記線材部７１の部分７１ｃと錘３１の表面の間隔を意味し、その間隔が一定でない場合には、その最小値とする。
【００２５】
（使用例について）
本発明のルアー１１のライン連結部４１にラインを連結した後、前記ルアー１１は水中に投入される。前記ラインは、通常、竿に設けられたリールから繰り出される。もっとも、前記ラインは、リールに巻かれているものに限られない。本発明のルアー１１は、様々な釣り方に使用される。前記様々な釣り方としては、例えば、竿釣りなどの個人的な釣りや漁師のような業務上の釣りが挙げられる。
前記水中に投入されたルアー１１は、その錘３１を下にして沈んでいく。従来のルアー１１は、その着底時、まず最初に錘３１が海底（岩など）に当たる。本発明のルアー１１は、錘３１の下方側に線材部７１が延設されているので、図５（ａ）に示すように、ルアー１１の着底時、まず最初に線材部７１が海底Ｘに当たる。線材部７１と錘３１との間には隙間９１を有するので、海底に当たった線材部７１は、図５（ｂ）に示すように、隙間９１側へ撓む。具体的には、線材部７１の中央部分７１ｃが隙間９１側へ撓む。このように線材部７１が撓むことによって、ルアー１１の着底時の衝撃が吸収される。このため、本発明のルアー１１は、着底時の衝撃音が比較的小さい。かかるルアー１１を使用すれば、着底場所の周辺に居る烏賊や魚を驚かすことがなく、より多くの烏賊や魚を釣り上げることが期待できる。
【００２６】
さらに、上記線材部７１は自己復元性を有するので、撓んだ線材部７１が海底から離れたときには、線材部７１は元の形状に復元する。この元の形状に復元するときの線材部７１の振動が、錘３１（ルアー１１）からラインを通じて釣り人に伝わる。従って、釣り人は、着底したかどうかを容易に感知できる。かかるルアー１１を使用した釣り人は、所望の深さでルアー１１を遊泳させることができる。
【００２７】
［他の実施形態に係るルアー］
本発明のルアーは、上記実施形態に示したような構造に限られず、様々な構造に変更できる。以下、上記実施形態と異なる構成を主として説明し、上記実施形態と同様の構成については、その説明を省略し、用語及び符号を援用する。
上記実施形態では、前記線材部７１は錘３１の下辺の形状と略一致した弧状となるように延設されているが、線材部７１の形状はこれに限定されない。
例えば、図６に示すルアー１２においては、上記実施形態よりも曲率半径の小さい弧状の線材部７２が錘３１に設けられている。
【００２８】
さらに、上記実施形態では、前記線材部７１の両端部が錘３１に固着されているが、線材部７１の一端部だけが錘３１に固着されていてもよい。
例えば、図７に示すルアー１３においては、線材部７３の一端部７３ａ（例えば、前端部）が錘３１に固着され、且つ前記線材部７３の他端部７３ｂ（例えば、後端部）が自由とされている。さらに、前記線材部７３の一端部７３ａ以外の部分７３ｃは、錘３１の表面との間に隙間９１を有した状態で、ボディ２１の前後方向に延設されている。
【００２９】
また、上記実施形態では、前記線材部７１とライン連結部４１とは、別個独立しているが、線材部７１とライン連結部４１を結合してもよい。前記線材部とライン連結部を結合する（繋げる）ことにより、着底時に線材部に加わる衝撃及び海底から離れるときの振動が、前記線材部からライン連結部に直接伝わる。このため、このライン連結部に連結されたラインを通じて、前記衝撃及び振動が釣り人に伝わり易くなる。かかる他の実施形態に係るルアーを使用した釣り人は、着底の有無を確実に感知できる。
【００３０】
線材部とライン連結部が結合されたルアーは、例えば、ライン連結部と線材部を１本の金属線材で形成する方法などによって得ることができる。
図８に示すルアー１４においては、ライン連結部４１と線材部７４が１本の金属線材８４から形成されている。具体的には、図８に示すように、所定形状に形成した１本の金属線材８４をボディ２１及び錘３１に埋め込み、前記金属線材８４の環状部をボディ２１の前端部２１ｂから突出させることによってライン連結部４１が形成されている。さらに、この金属線材８４の一部を錘３１の下方側から突出させることによってボディ２１の前後方向に延びる線材部７４が形成されている。前記線材部７４と錘３１の表面の間には、上記実施形態と同様に、隙間９１が確保されている。
この図８のルアー１４は、線材部７４の両端部７４ａ，７４ｂが錘３１に固着されている。
【００３１】
図９に示すルアー１５においても、ライン連結部４１と線材部７５が１本の金属線材８５から形成されている。具体的には、図９に示すように、所定形状に形成した１本の金属線材８５の環状部をボディ２１の前端部２１ｂから突出させることによってライン連結部４１が形成されている。さらに、この金属線材８５をボディ２１の前端部下方から外側に延ばし、且つ金属線材８５の一部を錘３１の下方側においてボディ２１の前後方向に延設させると共に、金属線材８５の他端部を錘３１に固着することによって、線材部７５が形成されている。従って、この図９のルアー１５は、線材部７５の他端部７５ｂのみが錘３１の固着されている。前記線材部７５と錘３１の表面の間には、隙間９１が確保されている。
【００３２】
図１０に示すルアー１６においても、ライン連結部４１と線材部７６が１本の金属線材８６から形成されている。具体的には、図１０に示すように、所定形状に形成した１本の金属線材８６の環状部をボディ２１の前端部２１ｂから突出させることによってライン連結部４１が形成されている。さらに、この金属線材８６をボディ２１の前端部下方から外側に延ばし、且つ金属線材８６の一部を錘３１の下方側においてボディ２１の前後方向に延設させることによって、線材部７６が形成されている。従って、この図１０のルアー１６は、その線材部７６が錘３１の固着されておらず（錘３１に接触しておらず）、線材部７６がボディ２１に支持されている。線材部７６と錘３１の表面の間には、隙間９１が確保されている。
【産業上の利用可能性】
【００３３】
本発明のルアーは、烏賊、ブラックバス、スズキ、シイラ、タコなどの各種の釣りに使用できる。
【符号の説明】
【００３４】
１１，１２，１３，１４，１５，１６    ルアー
２１    ボディ
３１    錘
４１    ライン連結部
５１    釣り針
７１，７２，７３，７４，７５，７６    線材部
９１    隙間
【図１】
0005598480.tif 000002
【図２】
0005598480.tif 000003
【図３】
0005598480.tif 000004
【図４】
0005598480.tif 000005
【図５】
0005598480.tif 000006
【図６】
0005598480.tif 000007
【図７】
0005598480.tif 000008
【図８】
0005598480.tif 000009
【図９】
0005598480.tif 000010
【図１０】
0005598480.tif 000011